(57)【特許請求の範囲】
【請求項１】
切妻形の主屋根を有する本体部と、切妻形の副屋根を有し、前記本体部と一方の平側外壁を共有して本体部の妻側に設けられた突設部と、前記副屋根に連続する葺き下ろし屋根を有し、前記本体部と前記突設部とによって形成される入隅に設けられた付設部とから構成され、前記副屋根が、前記主屋根の大棟よりも低い位置に設けられた副棟を頂部とし、一方の流れ面を前記主屋根の一方の流れ面と共有して形成されてなる建物において、
前記付設部の平側外壁および妻壁の軸組内にそれぞれ耐力壁が配置されるとともに、前記付設部の葺き下ろし屋根の支持面内に、その水平剛性を補強する筋交い構面が配置され、付設部の平側外壁に配置された前記耐力壁及び前記筋交い構面が、前記本体部の妻壁の軸組に対して構造的に不連続となるように設けられたことを特徴とする建物。
【発明の詳細な説明】
【０００１】
【発明の属する技術分野】
本発明は、切妻屋根を有する建物に関する。
【０００２】
【従来の技術】
切妻屋根を有する住宅などの建物が、その妻壁を道路境界線や敷地境界線に近接させて建築された場合、道路斜線や北側斜線などの斜線規制が切妻屋根の棟部分にかかってしまうことがある。このようなとき、斜線規制をかわすため、図８に示すように建物Ａの上階部分の妻壁ａをセットバックさせたり、図９に示すように建物Ｂの棟の先端部分ｂを斜めに切り落として半切妻形にすることが行われている。
【０００３】
【発明が解決しようとする課題】
しかしながら、前記のように、切妻屋根を有する建物Ａの上階部分の妻壁ａをセットバックさせたり、建物Ｂの棟の先端部分ｂを切り落としたりすると、建物Ａ，Ｂの妻側における外観の均整が崩れて建物全体の意匠性が大きく損なわれてしまう。
【０００４】
また、妻壁ａをセットバックさせると、その分だけ建物Ａの屋内空間も失われることとなり、限られた敷地を有効に活用するという点でも不利になる。
【０００５】
本発明は、このような事情に鑑みてなされたもので、斜線規制への対応性に優れた建物を提供することにより、特に建物の妻側における外観の意匠性を高めるとともに、建物の屋内空間をできるだけ確保して敷地の有効活用を図ることを目的としている。
【０００６】
【課題を解決するための手段】
本発明の建物は、切妻形の主屋根を有する本体部と、切妻形の副屋根を有し、前記本体部と一方の平側外壁を共有して本体部の妻側に設けられた突設部と、前記副屋根に連続する葺き下ろし屋根を有し、前記本体部と前記突設部とによって形成される入隅に設けられた付設部とから構成され、前記副屋根が、前記主屋根の大棟よりも低い位置に設けられた副棟を頂部とし、一方の流れ面を前記主屋根の一方の流れ面と共有して形成されてなる建物において、前記付設部の平側外壁および妻壁の軸組内にそれぞれ耐力壁が配置されるとともに、前記付設部の葺き下ろし屋根の支持面内に、その水平剛性を補強する筋交い構面が配置され、付設部の平側外壁に配置された前記耐力壁及び前記筋交い構面が、前記本体部の妻壁の軸組に対して構造的に不連続となるように設けられたことを特徴としている。
【０００７】
すなわち、切妻形の主屋根を有する建物の本体部の妻側に突設部が設けられることにより、建物はその突設部の分だけ棟方向に延設される。この突設部は、その平側外壁の一方を本体部の平側外壁と共有することにより、本体部と一体的な外観を形成する。ここで「平側外壁」とは、妻壁に直交して棟に平行に設けられる外壁をいう。
【０００８】
突設部は切妻形の副屋根を有し、この副屋根は、前記主屋根の大棟を一方の流れ面に沿って下降させたところに設けられる副棟を頂部として、その一方の流れ面を主屋根の一方の流れ面と共有し、 他方の流れ面が主屋根の他方の流れ面よりも低くなるように形成される。このように、本体部の妻側に、主屋根よりも棟高の一段低い副屋根を有する突設部が設けられることによって、建物の妻側前端の棟高が低くなり、斜線規制をかわしやすくなる。
【０００９】
つまり、本発明の建物は、敷地の境界線に近い側に棟高の低い突設部を設け、棟高の高い本体部を突設部の背後に後退させて配置することにより、建物の妻側における斜線規制への対応性を向上させたものである。
【００１０】
突設部の副屋根は、一方の流れ面を主屋根の一方の流れ面と共有する切妻形の屋根となる。また、本体部と突設部との入隅には付設部が設けられ、この付設部の屋根は副屋根に連続する葺き下ろし屋根となる。ここで「葺き下ろし屋根」とは、その流れ面が直下の階の基準の天井レベルよりも低い位置まで延設され、その下側に屋内空間が設けられた屋根をいい、このような葺き下ろし屋根の直下の天井は、通常、傾斜天井となる。
【００１１】
こうして、突設部の副屋根とこれに連続する付設部の葺き下ろし屋根により、突設部の妻壁は均整のとれた切妻形に形成されるとともに、主屋根と副屋根、突設部の平側外壁と本体部の平側外壁とが、それらの一部づつを一体的に連続させて設けられることにより、建物全体の外観のまとまりもよくなる。
【００１２】
また、突設部および付設部の内部には、建物の本体部が後退した分を補いうるだけの屋内空間が確保されるため、敷地の有効活用も図られることとなる。
【００１４】
このような構造の建物においては、屋根が葺き下ろされた付設部の軸組が本体部の軸組とは異なる剛性率や偏心率を有することとなるため、水平力に対する付設部の変形と本体部の変形との間に不均等が生じた場合に、付設部と本体部との間に余計な水平荷重がかかってしまうおそれがある。そこで、本発明は、建物全体を本体部、突設部および付設部の３つのブロックに構造的に分割し、付設部の平側外壁および妻壁の軸組内にそれぞれ耐力壁を配置して付設部の構造的独立性を高めている。また、付設部の葺き下ろし屋根の支持面内に筋交い構面を設けて、葺き下ろし屋根の水平剛性も強化している。さらに、付設部の平側外壁に設ける耐力壁と、筋交い構面とを、本体部の妻壁の軸組に対して構造的に不連続となるように配置することにより、付設部の変形が本体部に直接及ぼす影響を小さくしている。このような構造的特徴により、建物全体の構造的な安定性が向上するとともに、各部の構造材の部材断面を必要以上に大きくする不経済も回避される。
【００１５】
なお、ここで「構造的に不連続」とは、葺き下ろし屋根の支持面に生じる変形が支持面の構成部材を介して直接本体部に伝達することのないよう、筋交い構面を本体部の妻壁の軸組から離隔して配置することをいう。したがって、建物の外形および屋内空間の連続性とは無関係である。
【００１６】
【発明の実施の形態】
以下、本発明の実施の形態について、図面を参照しつつ説明する。
【００１７】
図１ないし図６は、本発明の建物の構成を示している。
この建物１は、２階建てで、図１および図４中の左方に示す前面道路Ｒに面して建築されている。建物１は、前面道路Ｒ側から見て間口の広い本体部２、間口の狭い突設部３、および本体部２と突設部３とによって形成される入隅に設けられた付設部４、の３つのブロックから構成され、突設部３および付設部４を前面道路Ｒ側にして配置されている。本体部２と突設部３とは互いのひとつの平側外壁２ｘ，３ｘを同一面に共有して連設され、突設部３と付設部４とは互いのひとつの妻側外壁３ｙ，４ｙを同一面に共有して連設されている。
【００１８】
建物１の屋内においては各ブロックは空間的に連続しており、１階部分では、突設部３内に玄関５１、洗面室５２、浴室５３が設けられ、付設部４内に便所５４および２階に連続する階段５５が設けられている。本体部２内には和室５６、居間５７、食堂５８、厨房５９などが設けられている。食堂５８は、建物１の本体部２よりも建物１の裏側（前面道路Ｒの反対側）に張り出して設けられている。また、建物１の２階部分では、突設部３内にホール６１、子供室６２などが設けられ、本体部２内に寝室６３、子供室６４，６５などが設けられている。
【００１９】
本体部２は、大棟２１を頂部とする切妻形の主屋根２０を有し、前面道路Ｒ側を妻側にして設けられている。この主屋根２０の一方の流れ面２２ｂは、図６に示すように、その下部が２階部分の天井レベルＣＨよりも低い位置まで延設された葺き下ろし屋根となり、これにより子供室６５の天井の一部が傾斜天井となされている。
【００２０】
突設部３は、大棟２１よりも低い位置に形成された副棟３１を頂部とする切妻形の副屋根３０を有し、この副屋根２０も前面道路Ｒ側を妻側にして設けられている。副棟３１は、主屋根２０の大棟２１を、その一方の流れ面２２ａに沿って下降させた位置の延長線上に設けられている。そして、副屋根３０の一方の流れ面３２ａが、主屋根２０の一方の流れ面２２ａと同一面に連続するように設けられ、互いの軒先が揃えられている。また、副屋根３０の他方の流れ面３２ｂは、主屋根２０の他方の流れ面２２ｂに平行して、それよりも低い位置に設けられており、その下部において付設部４の葺き下ろし屋根４０に連続している。
【００２１】
付設部４の葺き下ろし屋根４０は、副屋根の流れ面３２ｂに同じ勾配で連続し、その軒先が２階部分の天井レベルＣＨよりも低くなるように設けられている。これにより、図６に示すように、付設部４の天井が傾斜天井となされている。
【００２２】
上記のように、この建物１の屋根は、異なる棟高を有する切妻形の主屋根２０および副屋根３０と、副屋根３０に連続する葺き下ろし屋根４０とによって構成され、前面道路Ｒ側の棟高が奥側の棟高よりも低くなるように形成されている。そのため、図４に示すように、副棟３１の前端が道路斜線Ｌをかわしうるぎりぎりの位置に突設部３および付設部４を配置し、さらに棟高の高い本体部２をその背後に配置することによって、建物１の全体的な容積をほぼ確保したまま道路斜線Ｌをかわすことができる。すなわち、この建物１は、前面道路Ｒが狭くて斜線規制が厳しい場合などであっても建物１の配置上の自由度が大きく、斜線規制に対する対応性に優れたものとなっている。
【００２３】
また、この建物１は、前面道路Ｒに面する突設部３および付設部４の妻壁３ｙ，４ｙが、図５に示すように、一体となった切妻型に形成されるため、図７や図８に示したような従来の建物Ａ，Ｂに比べて妻側における外観が均整のとれた見栄えのよいものとなる。さらに、主屋根２０と副屋根３０の一部ずつが連続し、また、本体部２の平側外壁２ｘと突設部３の平側外壁３ｘ、突設部３の妻壁３ｙと付設部４の妻壁４ｙが、それぞれ一部づつを連続させて設けられることにより、建物１全体の外観に一体感が形成され、いわゆる邸宅感の高い建物１となっている。
【００２４】
また、付設部４の葺き下ろし屋根４０が２階部分の天井レベルＣＨよりも低い位置に設けられることにより、付設部４の天井は傾斜天井となされているが、付設部４の内部は階段５５として利用されているため、建物内の間取りが合理的で機能的なものとなり、居住性も高められている。
【００２５】
図７に、この建物１の躯体の構造を単純化して示す。
本体部２および突設部３の外壁の軸組内には、筋交いにより補強された耐力壁２３，３３が配置されている。また、本体部２および突設部３の上部には、小屋組７の底面を構成する水平な小屋構面２４，３４がそれぞれ形成されている。
【００２６】
付設部４の葺き下ろし屋根４０は、その支持面４１が突設部３の小屋構面３４と本体部２の妻壁２ｙの軸組に接続するように架設されている。付設部４の平側外壁４ｘおよび妻壁４ｙの軸組内にはそれぞれ耐力壁４２が配置され、付設部４の構造的独立性が高められている。ただし、付設部４の平側外壁４ｘに配置された耐力壁４２は、本体部２の妻壁２ｙの軸組に直接連続しないように、本体部２から離隔して設けられている。
【００２７】
また、葺き下ろし屋根４０の支持面４１内には筋交い構面４３が設けられ、付設部４の水平方向に対する剛性が高められている。この筋交い構面４３も、本体部２の妻壁２ｙの軸組に直接連続しないように、本体部２から離隔して配置されている。
【００２８】
このように、付設部４に配置される耐力壁４２および筋交い構面４３を、本体部２から構造的に不連続となるように配置することによって、水平力に対する付設部４の変形と本体部２の変形との間に不均等が生じた場合でも、付設部４と本体部２との間に余計な水平荷重が発生したり、付設部４の変形が本体部２に直接影響を及ぼしたりすることが回避される。その結果、建物１全体が構造的にバランスの良いものとなり、各部の構造材の部材断面を必要以上に大きくしないでも済むこととなる。
【００２９】
なお、前記実施の形態では、建物１の妻側を前面道路Ｒ側に向けて建物１を配置し、突設部３の副屋根３０が道路斜線Ｌをぎりぎりでかわすように構成しているが、敷地の条件によっては、建物１の配置方向を変え、北側斜線や隣地斜線に対して副屋根３０を対応させることももちろん可能である。
【００３０】
【発明の効果】
本発明の建物によれば、切妻形の主屋根を有する本体部の妻側に、主屋根よりも棟高の低い切妻形の副屋根を有する突設部が連設されるため、建物の妻側前端における棟高が低くなって斜線規制への対応性が向上する。
【００３１】
そして、副屋根に連続する葺き下ろし屋根を有する付設部が、本体部と突設部との入隅に連設されるため、建物の妻側が均整のとれた切妻形になり、建物の妻側における外観の意匠性が高められる。
【００３２】
また、この付設部内にも屋内空間が確保されるため、敷地の有効活用も図られる。
【図面の簡単な説明】
【図１】本発明の実施の形態にかかる建物の１階部分の平面図である。
【図２】前記建物の２階部分の平面図である。
【図３】前記建物の屋根伏図であり、図中の矢印は屋根の流れ面の水勾配を示す。
【図４】前記建物の平側の立面図である。
【図５】前記建物の前面道路側の立面図である。
【図６】前記建物の屋内空間の構成を示す縦断面図である。
【図７】前記建物の躯体構造を単純化して示す斜視図である。
【図８】切妻屋根の棟部分が斜線規制にかかる場合における、従来の建物形態の一例を示す斜視図である。
【図９】切妻屋根の棟部分が斜線規制にかかる場合における、従来の建物形態の他の例を示す斜視図である。
【符号の説明】
１  建物
２  本体部
２ｘ  本体部の平側外壁
２ｙ  本体部の妻壁
２０  主屋根
２１  大棟
２２ａ，２２ｂ  主屋根の流れ面
３  突設部
３ｘ  突設部の平側外壁
３０  副屋根
３１  副棟
３２ａ，３２ｂ  副屋根の流れ面
４  付設部
４ｘ  付設部の平側外壁
４ｙ  付設部の妻壁
４０  葺き下ろし屋根
４１  葺き下ろし屋根の支持面
４２  付設部の耐力壁
４３  筋交い構面
【図１】
0003750780.tif 000002
【図２】
0003750780.tif 000003
【図３】
0003750780.tif 000004
【図４】
0003750780.tif 000005
【図５】
0003750780.tif 000006
【図６】
0003750780.tif 000007
【図７】
0003750780.tif 000008
【図８】
0003750780.tif 000009
【図９】
0003750780.tif 000010